【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
電子デバイスに電力を提供するバッテリ電圧端子に結合する負荷過渡抑制回路であって、前記負荷過渡抑制回路は、
過渡負荷状態中にバイアス入力を介してバイアス電流を受け、前記過渡負荷状態中に出力電流を提供するための演算増幅器と、
前記バイアス電流を供給するために前記過渡負荷状態中に放電するための、前記演算増幅器の前記バイアス入力に結合されるバイアスキャパシタと、
前記バッテリ電圧端子が閾値電圧を下回るのを防ぐために、前記過渡負荷状態中に前記電子デバイスに放電電流を提供する、前記演算増幅器の出力および前記バッテリ電圧端子の間に結合される出力キャパシタとを備え、前記負荷過渡抑制回路は、
前記演算増幅器の正の入力端子へ第１の電圧を提供し、前記演算増幅器の負の入力端子へ第２の電圧を提供する演算増幅器入力回路をさらに備え、前記第２の電圧は公称負荷状態中に前記第１の電圧よりも大きく、前記第２の電圧は、前記過渡負荷状態が前記過渡負荷状態中に前記演算増幅器に前記出力電流を提供させることに応じて前記第１の電圧を下回る、負荷過渡抑制回路。
【請求項２】
前記演算増幅器入力回路は、
前記バッテリ電圧端子に結合される、第１の時定数を有する第１の抵抗キャパシタ回路を備え、前記第１の抵抗キャパシタ回路は、前記演算増幅器の前記正の端子へ前記第１の電圧を提供し、前記演算増幅器入力回路は、
前記バッテリ電圧端子に結合される、第２の時定数を有する第２の抵抗キャパシタ回路をさらに備え、前記第２の抵抗キャパシタ回路は、前記演算増幅器の前記負の端子へ前記第２の電圧を提供する、請求項１に記載の負荷過渡抑制回路。
【請求項３】
前記第１の抵抗キャパシタ回路は、
前記演算増幅器の前記正の端子への前記第１の電圧を前記公称負荷状態中に前記演算増幅器の前記負の端子への前記第２の電圧よりも低くさせる電圧減算回路を備える、請求項２に記載の負荷過渡抑制回路。
【請求項４】
前記バッテリ電圧端子を前記公称負荷状態中に前記演算増幅器の前記バイアス入力に結合し、前記過渡負荷状態中に前記バイアス入力からの前記バッテリ電圧端子を切り離すためのスイッチをさらに備える、請求項１に記載の負荷過渡抑制回路。
【請求項５】
前記演算増幅器の前記バッテリ電圧端子および前記バイアス入力の間に結合された抵抗をさらに備える、請求項１に記載の負荷過渡抑制回路。
【請求項６】
前記バイアスキャパシタおよび出力キャパシタはそれぞれ、前記過渡負荷状態中に予想されるバッテリ電圧における最大降下および予想される前記過渡負荷状態の最大継続時間に基づいて前記公称負荷状態中に電荷量を蓄積するよう構成される、請求項１に記載の負荷過渡抑制回路。
【請求項７】
電子デバイスに電力を提供するバッテリ電圧端子に結合する負荷過渡抑制回路であって、前記負荷過渡抑制回路は、
差動入力電圧を受け、正である前記差動入力電圧に応答して出力電流を生成するための演算増幅器と、
前記演算増幅器へ前記差動入力電圧を提供するための演算増幅器入力回路とを備え、前記差動入力電圧は過渡負荷状態中に正であり、前記差動入力電圧は、公称負荷状態中に負であり、前記負荷過渡抑制回路は、
前記演算増幅器の出力と前記バッテリ電圧端子との間に結合され、前記過渡負荷状態中に前記演算増幅器によって生成される前記出力電流に応じて前記電子デバイスへ放電電流を供給する出力キャパシタをさらに備え、前記放電電流は前記バッテリ電圧端子が閾値電圧を下回るのを防ぐのに足りる、負荷過渡抑制回路。
【請求項８】
前記演算増幅器が前記出力電流を供給することを可能にするために、前記過渡負荷状態中に前記演算増幅器の前記バイアス入力へバイアス電流を供給するために前記演算増幅器のバイアス入力に結合されるバイアスキャパシタをさらに備える請求項７に記載の負荷過渡回路。
【請求項９】
前記出力キャパシタおよびバイアスキャパシタはそれぞれ、前記過渡負荷状態のバッテリ電圧端子における予想される最大降下および予想される前記過渡負荷状態の最大継続時間に基づいて、前記公称負荷状態中に電荷量を蓄積するよう構成される、請求項８に記載の負荷過渡抑制回路。
【請求項１０】
前記演算増幅器入力回路は、
第１の時定数を有する第１の抵抗キャパシタ回路を備え、前記第１の抵抗キャパシタ回路は前記バッテリ電圧端子に結合し、前記第１の抵抗キャパシタ回路は、前記演算増幅器の正の端子へ前記第１の電圧を提供し、前記演算増幅器入力回路は、
第２の時定数を有する第２の抵抗キャパシタ回路をさらに備え、前記第２の抵抗キャパシタ回路は前記バッテリ電圧端子に結合され、第２の抵抗キャパシタ回路は、前記演算増幅器の負の端子へ前記第２の電圧を提供する、請求項７に記載の負荷過渡抑制回路。
【請求項１１】
前記第１の抵抗キャパシタ回路は、
前記演算増幅器の前記正の端子への前記第１の電圧を前記公称負荷状態中に前記第２の電圧前記演算増幅器の前記負の端子よりも低くさせる電圧減算回路を備える、請求項１０に記載の負荷過渡抑制回路。
【請求項１２】
前記公称負荷状態中に前記演算増幅器の前記バイアス入力に前記バッテリ電圧端子を結合し、前記過渡負荷状態中に前記バイアス入力から前記バッテリ電圧端子を切り離すためのスイッチをさらに備える、請求項７に記載の負荷過渡抑制回路。
【請求項１３】
前記演算増幅器の前記バッテリ電圧端子および前記バイアス入力の間に結合される抵抗をさらに備える、請求項７に記載の負荷過渡抑制回路。
【請求項１４】
バッテリ電圧が電子デバイスに電力を提供する電源回路における負荷過渡を抑制するための方法であって、前記方法は、
演算増幅器へ差動入力を提供することを備え、前記差動入力は前記電子デバイスの負荷状態を示し、前記差動入力は過渡負荷状態が満たされたことに応答して第１の極性値を有し、前記方法は、
前記演算増幅器の出力において、前記第１の極性値を有する前記差動入力に応答して前記出力電流を生成することと、
前記出力電流に応答して出力キャパシタを介して前記バッテリ電圧を昇圧することと、
前記出力電流の生成に応じて前記過渡負荷状態中に前記出力キャパシタから前記電子デバイスへと放電電流を供給することとをさらに備え、前記放電電流は前記バッテリ電圧端子が閾値電圧を下回ることを防ぐために足りる、方法。
【請求項１５】
前記演算増幅器が前記出力電流を供給することを可能にするために、バイアスキャパシタから前記過渡負荷状態中に前記演算増幅器のバイアス入力へバイアス電流を供給することをさらに備える、請求項１４に記載の方法。
【請求項１６】
前記公称負荷状態中にバッテリ電圧における予想される最大降下および前記過渡負荷状態中に前記過渡負荷状態の予想される最大継続時間に基づいて、前記出力キャパシタおよび前記バイアスキャパシタによってそれぞれ、電荷量を蓄積することをさらに備える、請求項１５に記載の方法。
【請求項１７】
差動入力を提供することは、
第１の時定数を有する第１の抵抗キャパシタ回路による前記バッテリ電圧端子に基づいて第１の電圧を生成することと、
第２の時定数を有する第２の抵抗キャパシタ回路による前記バッテリ電圧端子に基づいて第２の電圧を生成することと、を含む、請求項１４に記載の方法。
【請求項１８】
前記第１の電圧を生成することは、
前記演算増幅器の正の端子への前記第１の電圧を前記公称負荷状態中に前記演算増幅器の負の端子への前記第２の電圧よりも低くさせるために、前記第１の抵抗キャパシタ回路の出力から固定電圧を減算することを含む、請求項１７に記載の方法。
【請求項１９】
前記公称負荷状態中に前記演算増幅器の前記バイアス入力へ前記バッテリ電圧端子を結合し、前記過渡負荷状態中に前記バイアス端子から前記バッテリ電圧端子を切り離すためにスイッチを制御することをさらに備える、請求項１４に記載の方法。
【請求項２０】
前記バッテリ電圧端子は前記演算増幅器の前記バイアス入力に抵抗を介して結合される、請求項１４に記載の方法。
【請求項２１】
前記第２の時定数は前記第１の時定数より大きく、これにより前記演算増幅器の前記負の端子への前記第２の電圧は前記過渡負荷状態中に前記演算増幅器の前記正の端子への前記第１の電圧を下回る、請求項２に記載の負荷過渡抑制回路。
【請求項２２】
前記第２の時定数は前記第１の時定数より大きく、これにより前記演算増幅器の前記負の端子への前記第２の電圧は前記過渡負荷状態中に前記演算増幅器の前記正の端子への前記第１の電圧を下回る、請求項１０に記載の負荷過渡抑制回路。
【請求項２３】
前記第２の時定数は前記第１の時定数より大きく、これにより前記演算増幅器の前記負の端子への前記第２の電圧は前記過渡負荷状態中に前記演算増幅器の前記正の端子への前記第１の電圧を下回る、請求項１７に記載の方法。
【手続補正２】
【補正対象書類名】明細書
【補正対象項目名】０００４
【補正方法】変更
【補正の内容】
【０００４】
電流を供給するためのバッテリの能力は、バッテリの内部抵抗によって定量化される。バッテリがいずれの負荷回路にも接続されない場合には、「開路電圧」と呼ばれる、その端子間に特定の電圧が示されるだろう。負荷回路がバッテリに接続されると、電流は負荷回路を介してバッテリから流れる。この電流の増加により、バッテリの端子間電圧がその開回路電圧より垂下する。大きな内部抵抗のバッテリは、与えられた負荷電流の大きな電圧の垂下を生成する。